(57)【要約】【課題】作業性に優れ、飽和度が高く、透水性の低い砂質地山や亀裂性岩盤等に対する浸透性に優れた地山固結工法あるいは止水工法を提供する。【解決手段】地山２９に穿設された長孔に注入管２８を配設し、この注入管２８に下記の（Ａ）〜（Ｃ）液を必須とする（メタ）アクリル酸系薬液を供給して地山に注入するようにした地山固結工法あるいは止水工法であって、それぞれ別々の非鉄製タンク１，２１，２２に収容された下記の（Ａ）〜（Ｃ）液を、非鉄製注入機４により各別に注入管２８に圧送するに際して、上記注入管２８の手前で、（Ａ）液と（Ｂ）液と（Ｃ）液とを、容量基準で、（Ａ）液：（Ｂ）液：（Ｃ）液＝１：０．９〜１．５：０．９〜１．５の割合で、混合するようにしたという構成をとる。（Ａ）（メタ）アクリル酸の一価または二価の金属塩水溶液。（Ｂ）アルミニウム水溶性塩の水溶液。（Ｃ）重亜硫酸塩水溶液。【選択図】図１
2006104795.tif 000002
【特許請求の範囲】
【請求項１】
地山に穿設された長孔に注入管を配設し、この注入管に下記の（Ａ）〜（Ｃ）液を必須とする（メタ）アクリル酸系薬液を供給して地山に注入するようにした地山固結工法あるいは止水工法であって、それぞれ別々の非鉄製タンクに収容された下記の（Ａ）〜（Ｃ）液を、非鉄製注入機により各別に注入管に圧送するに際して、上記注入管の手前で、（Ａ）液と（Ｂ）液と（Ｃ）液とを、容量基準で、（Ａ）液：（Ｂ）液：（Ｃ）液＝１：０．９〜１．５：０．９〜１．５の割合で、混合するようにしたことを特徴とする地山固結工法あるいは止水工法。
（Ａ）（メタ）アクリル酸の一価または二価の金属塩水溶液。
（Ｂ）アルミニウム水溶性塩の水溶液。
（Ｃ）重亜硫酸塩水溶液。
【発明の詳細な説明】
【技術分野】
【０００１】
本発明は、地山固結工法および止水工法に関するものであり、詳しくは、飽和度の高い未固結砂質地山や亀裂性岩盤等を強化、安定化、止水化することができる地山固結工法および止水工法に関するものである。
【背景技術】
【０００２】
地山固結工法において用いられる地山注入材は、地盤改良を目的として地盤中に注入される薬液である。このような地山注入材として、従来から、ポリオールを主成分とするＡ液（主剤）と、ポリイソシアネートを主成分とするＢ液（硬化剤）との組み合わせからなる二液混合型のウレタン系薬液が使用されている。
【０００３】
しかしながら、上記二液混合型のウレタン系薬液を用いた地山固結工法には、つぎのような難点がある。すなわち、上記二液混合型のウレタン系薬液は、一般に粘度が高く（約４０ｍＰａ・ｓ／２０℃）、薬液の圧送圧力を高くしても、飽和度の高い未固結砂質（砂が固まらないで密に詰まった状態）地山や亀裂幅のごく小さい岩盤に浸透しにくく、薬液がブロック状に広がりにくいという難点がある。また、トンネルボーリングマシンを使って、その先端からパイプでウレタン系薬液を注入すると、トンネルボーリングマシンのカッタヘッドやカッタ等に薬液が付着して、トンネルボーリングマシンが動かなくなる場合もある。また、上記ポリオールやポリイソシアネートは可燃性であるため、火災の危険性もある。また、従来の二液混合型のウレタン系薬液は、作業現場で硬化時間を調整することが困難であった。
【０００４】
そこで、これらの難点を解決するため、特に上記のような地山に対しては、ウレタン系薬液に代えて、比較的粘度の低いアクリル酸系薬液を用いた地山固結工法が提案されている。例えば、アクリル酸の一価または二価の金属塩水溶液からなるＡ液と、三価金属塩と重亜硫酸塩の水溶液からなるＢ液を調製し、これらを１台ないし２台のポンプで注入管に注入して、注入管内でＡ液とＢ液とを混合させ組成物とする山岳トンネル工法の補助工法が提案されている（特許文献１参照）。
【特許文献１】特開２００１−２１４６８７号公報
【発明の開示】
【発明が解決しようとする課題】
【０００５】
しかしながら、上記特許文献１に記載の工法では、三価金属塩に、予め重亜硫酸塩水溶液を少量混合してＢ液を調製しているため、Ｂ液単体でも反応が少しずつ進み、液ライフが短くなるという難点がある。施行現場あるいは作業現場において、突発的な湧水等で注入が予定より遅れてしまうことはたびたび発生し、こうした場合はＢ液が使えなくなってしまう。また、上記特許文献１に記載の工法では、Ａ液とＢ液と重亜硫酸塩水溶液とをそれぞれ別々に保管し、使用直前に混合して組成物を調製することも可能であるが、重亜硫酸塩水溶液が少量であるため、重亜硫酸塩水溶液の注入精度のばらつきや、重亜硫酸塩水溶液の分散度合いの影響を受けやすく、混合した組成物内で硬化時間が早くなったり、遅くなったりするという不都合が生じるおそれがある。さらに、上記のように、三価金属塩に、予め重亜硫酸塩水溶液を混合してＢ液を調製する場合も、Ａ液とＢ液と重亜硫酸塩水溶液とをそれぞれ別々に保管し、使用直前に混合して組成物を調製する場合のいずれにおいても、施工現場における土質の透水係数および作業現場の雰囲気温度により、硬化時間を設定する場合に困難が伴う。
【０００６】
本発明は、このような事情に鑑みなされたもので、作業性に優れ、飽和度が高く、透水性の低い砂質地山や亀裂性岩盤等に対する浸透性に優れた地山固結工法および止水工法の提供をその目的とする。
【課題を解決するための手段】
【０００７】
上記の目的を達成するために、本発明の地山固結工法あるいは止水工法は、地山に穿設された長孔に注入管を配設し、この注入管に下記の（Ａ）〜（Ｃ）液を必須とする（メタ）アクリル酸系薬液を供給して地山に注入するようにした地山固結工法あるいは止水工法であって、それぞれ別々の非鉄製タンクに収容された下記の（Ａ）〜（Ｃ）液を、非鉄製注入機により各別に注入管に圧送するに際して、上記注入管の手前で、（Ａ）液と（Ｂ）液と（Ｃ）液とを、容量基準で、（Ａ）液：（Ｂ）液：（Ｃ）液＝１：０．９〜１．５：０．９〜１．５の割合で、混合するようにしたという構成をとる。
（Ａ）（メタ）アクリル酸の一価または二価の金属塩水溶液。
（Ｂ）アルミニウム水溶性塩の水溶液。
（Ｃ）重亜硫酸塩水溶液。
【０００８】
すなわち、本発明の地山固結工法あるいは止水工法は、それぞれ別々の非鉄製タンクに収容された下記の（Ａ）〜（Ｃ）液を、非鉄製注入機により各別に注入管に圧送するため、作業現場にて人手により、各液を混合する必要がなく、作業性に優れている。また、注入管に圧送するに際して、上記注入管の手前で、各液を所定の割合で混合しており、本発明では、従来に比べて、（Ｃ）液を希釈してその量を多くし、（Ａ）液，（Ｂ）液と略同量にしていることから、注入管前の混合も均一かつ円滑になり、各液を所定割合で混合することができる。そのうえ、（Ｃ）液を希釈していることから、（メタ）アクリル酸系薬液の粘度を低くすることができる。そのため、飽和度が高く、透水性の低い砂質地山や亀裂性岩盤等に対する浸透性に優れ、砂質地山や亀裂性岩盤等を有効に強化、安定化、止水化することができる。
（Ａ）（メタ）アクリル酸の一価または二価の金属塩水溶液。
（Ｂ）アルミニウム水溶性塩の水溶液。
（Ｃ）重亜硫酸塩水溶液。
【０００９】
なお、本発明において、（メタ）アクリル酸とは、アクリル酸またはメタアクリル酸をいう。
【発明の効果】
【００１０】
このように、本発明の地山固結工法あるいは止水工法によると、作業現場にて人手により、各液を混合する必要がないため、作業性に優れている。また、従来に比べて、（Ｃ）液の量を多くするため、希釈してその固形分濃度を小さくしているため、（メタ）アクリル酸系薬液の粘度を低くすることができる。そのため、飽和度が高く、透水性の低い砂質地山や亀裂性岩盤等に対する浸透性に優れ、砂質地山や亀裂性岩盤等を有効に強化、安定化、止水化することができる。また、（Ａ）〜（Ｃ）液を所定割合で均一に混合でき、地山に対して均質、強固な固結領域を形成することができる。そのうえ、本発明においては、各液を収容するタンク、および各液を注入管に圧送するための注入機が、いずれもステンレス材料等の非鉄材料で構成されているため、（メタ）アクリル酸系薬液中に鉄が混入することがなく、（メタ）アクリル酸系薬液の鉄による硬化時間のばらつきによる硬化物の不均一性の問題を解消することができる。また、作業現場で（Ｃ）液に適当な量の水を加えることによって、硬化時間を調整することも可能である。
【発明を実施するための最良の形態】
【００１１】
つぎに、本発明の実施の形態を詳しく説明する。
【００１２】
本発明は、地山に穿設された長孔に注入管を配設し、この注入管に、（メタ）アクリル酸の一価または二価の金属塩水溶液（Ａ液）と、アルミニウム水溶性塩の水溶液（Ｂ液）と、重亜硫酸塩水溶液（Ｃ液）とを必須とする（メタ）アクリル酸系薬液を供給して地山に注入する地山固結工法あるいは止水工法である。
【００１３】
ここで、本発明は、Ａ液，Ｂ液およびＣ液を収容する各タンクと、各液を注入管に圧送する注入機とが、いずれも非鉄製（例えば、ステンレス製）であり、かつ、注入管の手前で、各液を特定の容量基準で混合するようにしたのであって、これらが最大の特徴である。
【００１４】
本発明の地山固結工法あるいは止水工法に用いる（メタ）アクリル酸系薬液は、上記Ａ液〜Ｃ液を必須とする薬液である。
【００１５】
上記（メタ）アクリル酸の一価または二価の金属塩水溶液（Ａ液）中の、（メタ）アクリル酸の一価または二価の金属塩〔以下「（メタ）アクリル酸金属塩」と略す〕としては、特に限定はなく、例えば、（メタ）アクリル酸のアルカリ金属塩，アルカリ土類金属塩等があげられる。これらは単独でもしくは２種以上併せて用いられる。これらのなかでも、（メタ）アクリル酸のナトリウム塩，マグネシウム塩が好適に用いられる。
【００１６】
なお、本発明においては、目的とする性能を損なわない範囲において、（メタ）アクリル酸金属塩水溶液（Ａ液）に、イタコン酸，マレイン酸，フマル酸の一価または二価の金属塩を添加しても差し支えない。
【００１７】
上記（メタ）アクリル酸金属塩水溶液（Ａ液）中の（メタ）アクリル酸金属塩（固形分）の濃度は、１０〜４５重量％の範囲内が好ましく、特にアルカリ土類金属塩の場合は、１５〜４５重量％の範囲内が好ましい。
【００１８】
つぎに、アルミニウム水溶性塩の水溶液（Ｂ液）中のアルミニウム水溶性塩としては、特に限定はなく、例えば、（メタ）アクリル酸アルミニウム、塩化アルミニウム、硝酸アルミニウム、硫酸アルミニウム、ミョウバン、ナトリウムミョウバン、酢酸アルミニウム、乳酸アルミニウム、ポリ塩化アルミニウム（塩基性塩化アルミニウム）、ポリ硫酸塩化アルミニウム（塩基性硫酸塩化アルミニウム）等があげられる。これらは単独でもしくは２種以上併せて用いられる。これらのなかでも、ポリ塩化アルミニウムが好適に用いられる。
【００１９】
上記アルミニウム水溶性塩の水溶液（Ｂ液）中のアルミニウム水溶性塩（固形分）の濃度は、１０〜７０重量％の範囲内が好ましく、特に好ましくは３０〜５０重量％の範囲内である。
【００２０】
つぎに、上記Ａ液およびＢ液とともに用いられる重亜硫酸塩水溶液（Ｃ液）中の重亜硫酸塩としては、特に限定はなく、例えば、重亜硫酸のアルカリ金属塩があげられる。このなかでも、特に重亜硫酸のナトリウム塩，カリウム塩が好適に用いられる。
【００２１】
本発明では、Ｃ液の液量を増すため、希釈して、その固形分濃度を小さくしているのであり、これが本発明の最大の特徴である。ここで、上記重亜硫酸塩水溶液（Ｃ液）中の重亜硫酸塩（固形分）の濃度は、通常、０．５〜１０重量％の範囲内であり、好ましくは１〜５重量％の範囲内である。
【００２２】
ここで、前記Ａ液とＢ液とＣ液との混合比は、容量基準で、Ａ液：Ｂ液：Ｃ液＝１：０．９〜１．５：０．９〜１．５の範囲内が好ましく、特に好ましくはＡ液：Ｂ液：Ｃ液＝１：１．０〜１．３：１．０〜１．３の範囲内である。すなわち、Ｂ液の混合比が０．９未満であると、得られるホモゲルの強度が不充分となり、逆に１．５を超えると、（メタ）アクリル酸系薬液の浸透性が低下するからである。また、Ｃ液の混合比が０．９未満であると、得られるホモゲルの強度が不充分となり、逆に１．５を超えると、反応速度が早くなり、浸透性が低下するからである。
【００２３】
ここで、Ｃ液の固形分濃度を調節することにより、薬液の硬化速度を任意に調節することができる。通常、濃度が当初の半分になると、薬液の硬化速度が遅くなり、硬化時間は当初の約２〜１０倍要するようになる。
【００２４】
なお、ホモゲルとは、（メタ）アクリル酸系薬液の硬化物（固結体）であって、砂や土等を含まないものをいう。
【００２５】
なお、本発明に用いる（メタ）アクリル酸系薬液には、上記Ａ液〜Ｃ液に加えて、Ａ液中の（メタ）アクリル酸金属塩の重合体の強度、寸法安定性および耐久性を向上させるために、メチレンビスアクリルアマイドやヒドロキシエチレンビスアクリルアマイド等の水溶性ジビニル単量体や、Ｎ−メチロールアクリルアミド等の架橋剤を適宜配合しても差し支えない。
【００２６】
上記架橋剤の配合割合としては、Ａ液中の（メタ）アクリル酸金属塩に対して、３０重量％以下であることが好ましく、より好ましくは２０重量％以下である。
【００２７】
また、本発明に用いる（メタ）アクリル酸系薬液には、薬液の増量または補強のために、必要に応じて骨材を配合することもできる。上記骨材としては、例えば、セメント、フライアッシュ、珪藻土、炭酸カルシウム、カオリン、クレー、ベントナイト、パーライト、蛭石、高炉スラグ、石膏、珪砂、パルプや炭素粉等の粉体、各種繊維等を用いることができる。
【００２８】
上記骨材は、使用量が多過ぎると、（メタ）アクリル酸系薬液の流動性やホモゲルの曲げ強度を低減させるおそれがあるため、Ａ液中の（メタ）アクリル酸金属塩の重量の１０倍以下とするのが好ましい。なお、（メタ）アクリル酸系薬液中に骨材が沈降する場合は、沈降防止剤等を併用することが好ましい。
【００２９】
つぎに、本発明の地山固結工法あるいは止水工法について、図面にもとづいて説明する。図１に示すように、注入機４のダイアフラム式ポンプ（図示せず）により、Ａ液用タンク２１から、Ａ液用ホース２４ａ，２４ｂを通して、注入管（注入ボルト）２８の基端部にカプラー２７を介して取り付けたミキシングユニット５にＡ液を送り込むとともに、Ｂ液用タンク２２から、Ｂ液用ホース２５ａ，２５ｂを通して、ミキシングユニット５にＢ液を送り込む。それとともに、Ｃ液用タンク１から、Ｃ液用ホース２，３を通して、ミキシングユニット５にＣ液を送り込み、Ａ液，Ｂ液，Ｃ液を合流させて混合する。つぎに、この混合液をカプラー２７を介して、注入管２８の基端開口から内部に供給し、内部に配設した静止ミキサー（図示せず）で攪拌した後、注入管２８の先端開口もしくは注入管２８の周壁に穿設した多孔（図示せず）から、飽和度の高い未固結砂質地山２９に注入し、地山に固結領域３０を形成する。
【００３０】
上記注入機４のポンプは、各薬液が低粘度であり、通常のギヤーポンプでは送液精度が得られないため、上記のようなダイアフラム式ポンプが好ましい。また、ウレタン系薬液であれば、ポンプの駆動部がウレタン系薬液自身により潤滑が図られるが、本発明に用いる（メタ）アクリル酸系薬液は水溶性であり、摩耗により寿命が短くなってしまうため、上記のようなダイアフラム式ポンプが好ましい。また、他動式のダイアフラムを備えた形式のポンプは、脈動を吸収するためさらに好ましい。
【００３１】
上記Ａ液用タンク２１，Ｂ液用タンク２２およびＣ液用タンク１は、いずれもステンレス等の非鉄材料で構成されている。また、上記注入機４も、上記Ａ液用タンク２１，Ｂ液用タンク２２，Ｃ液用タンク１と同様、ステンレス等の非鉄材料で構成されている。このように、本発明では、各液を収容するタンク２１，２２，１、および各液を注入管２８に圧送するための注入機４が、いずれもステンレス材料等の非鉄材料で構成されているため、（メタ）アクリル酸系薬液中に鉄が混入することがなく、（メタ）アクリル酸系薬液の鉄による硬化時間のばらつきによる硬化物の不均一性の問題を解消することができる。
【００３２】
また、上記注入機４は、独立した３つのモーター（図示せず）を有しており、各モーターでＡ液，Ｂ液およびＣ液をそれぞれ別々に独立して圧送することができるとともに、上記Ａ液，Ｂ液およびＣ液の圧送比率を自由に調節することができるようになっている。
【００３３】
つぎに、実施例について比較例と併せて説明する。
【実施例】
【００３４】
〔実施例１〕
縦０．５ｍ、横１ｍおよび高さ０．７ｍの土槽を準備し、この土槽内に川砂を均一に水締め充填することにより、透水係数が１．７５×１０-3ｃｍ／ｓであるモデル地盤を作製した。このモデル地盤の側部に、３０ｃｍ間隔で３ヶ所注入口を開け、長さ５０ｃｍ、外径１７ｍｍの注入管を挿入し、口元をシーリングした後、つぎのようにしてアクリル酸系薬液の注入を行った。
【００３５】
すなわち、アクリル酸マグネシウム塩水溶液（固形分濃度：３５重量％、粘度：４〜５ｍＰａ・ｓ／２０℃）〔Ａ液〕を収容したステンレス製Ａ液用タンクと、ポリ塩化アルミニウム水溶液（固形分濃度：１５重量％、粘度：４〜５ｍＰａ・ｓ／２０℃）〔Ｂ液〕を収容したステンレス製Ｂ液用タンクと、重亜硫酸塩水溶液（固形分濃度：１重量％、粘度：４〜５ｍＰａ・ｓ／２０℃）〔Ｃ液〕を収容したステンレス製Ｃ液用タンクとをそれぞれ準備した。つぎに、ステンレス製注入機のダイアフラム式ポンプを駆動させ、Ａ液用タンクから、Ａ液用ホースを通して、上記注入管に取り付けたミキシングユニットにＡ液を送り込むとともに、Ｂ液用タンクから、Ｂ液用ホースを通して、ミキシングユニットにＢ液を送り込んだ。それとともに、Ｃ液用タンクから、Ｃ液用ホースを通して、ミキシングユニットにＣ液を送り込み、Ａ液，Ｂ液，Ｃ液を合流させて混合した後、上記注入管内に注入した。なお、各液の注入速度は２リットル／分、注入圧は４ＭＰａ以下で、注入管１本当たり９リットル注入した。そして、注入１時間後に非固結部分の砂を取り除き、固結体形状の確認を行った結果、注入管の周りに、固結体積約２０リットルの球根状の砂ゲルを形成していた。これにより、本発明の工法によると、アクリル酸系薬液の地盤に対する浸透性に優れることがわかった。また、この固結体（砂ゲル）の一軸圧縮強度は０．８ＭＰａであり、地盤に対して充分な強化および安定化効果があることが確認された。なお、アクリル酸系薬液の硬化時間は、約２４０秒であった。
【００３６】
〔実施例２〜５、比較例１，２〕
下記の表１に示すように、各液の混合割合を変更する以外は、実施例１に準じて、アクリル酸系薬液を注入した。そして、実施例１と同様にして、アクリル酸系薬液の硬化時間、浸透性および一軸圧縮強度をそれぞれ測定し、これらの結果を、下記の表１に併せて示した。なお、浸透性については、浸透性が良好なものを○、浸透性が劣るものを×とした。
【００３７】
【表１】
2006104795.tif 000003
【００３８】
上記結果から、実施例品はいずれも、Ｃ液の混合量を従来に比べて多く、しかも適正な範囲に設定しているため、アクリル酸系薬液の浸透性および一軸圧縮強度が優れているとともに、硬化時間も良好であった。
【００３９】
これに対して、比較例１品は、Ｃ液の混合量が少ないため、硬化時間が遅く、アクリル酸系薬液の浸透性は良いが、軸圧縮強度が劣っていた。比較例２品は、Ｃ液の混合量が多いため、硬化時間が早く、浸透性が劣っていた。
【産業上の利用可能性】
【００４０】
本発明の地山固結工法あるいは止水工法は、飽和度の高い未固結砂質地山や亀裂性岩盤の強化、安定化、止水化等に非常に有用である。
【図面の簡単な説明】
【００４１】
【図１】本発明の地山固結工法あるいは止水工法の一例を示す説明図である。
【符号の説明】
【００４２】
１  Ｃ液用タンク
４  注入機
２１  Ａ液用タンク
２２  Ｂ液用タンク
２８  注入管
２９  地山
【図１】
2006104795.tif 000004